【手続補正書】
【提出日】平成29年5月18日(2017.5.18)
【手続補正１】
【補正対象書類名】明細書
【補正対象項目名】発明の名称
【補正方法】変更
【補正の内容】
【発明の名称】電子機器及びその制御方法、プログラム、並びに記録媒体
【手続補正２】
【補正対象書類名】明細書
【補正対象項目名】０００１
【補正方法】変更
【補正の内容】
【０００１】
本発明は電子機器及びその制御方法、プログラム、並びに記録媒体に関し、特にズーム操作を行う電子機器及びその制御方法、プログラム、並びに記録媒体に関する。
【手続補正３】
【補正対象書類名】明細書
【補正対象項目名】０００６
【補正方法】変更
【補正の内容】
【０００６】
本発明の目的は、ユーザが初期レンズ位置を設定した場合のズーム操作の使い勝手を向上させた電子機器及びその制御方法、プログラム、並びに記録媒体を提供することにある。
【手続補正４】
【補正対象書類名】明細書
【補正対象項目名】０００７
【補正方法】変更
【補正の内容】
【０００７】
上記目的を達成するために、本発明の電子機器は、ズーム位置を変更するズーム操作を受け付けるズーム操作手段と、前記ズーム操作の開始に応じてズーム位置の移動を開始し、該ズーム操作が解除されたことに応じてズーム位置の移動を停止するように制御する制御手段とを有し、前記制御手段は、第１の方向にズーム位置を移動させる第１のズーム操作に応じてズーム位置を前記第１の方向に移動している途中で、ズーム位置が、光学ズーム領域内であって、光学広角端でも光学望遠端でもない所定のズーム位置になる場合には、前記第１のズーム操作が解除されていなくても、ズーム位置を前記所定のズーム位置で停止するように制御することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、設定したレンズ位置に基づいたズーム操作の使い勝手を向上させることができる。
【手続補正７】
【補正対象書類名】明細書
【補正対象項目名】００１０
【補正方法】変更
【補正の内容】
【００１０】
【図１】本発明の実施の形態に係る電子機器としてのデジタルカメラの背面図である。
【図２】図１のデジタルカメラの内部構成を概略的に示すブロック図である。
【図３】図１における表示部に表示されるレンズ位置設定画面を説明するために用いられる図である。
【図４】図１における表示部に表示される撮影画面を説明するために用いられる図である。
【図５】図２におけるシステム制御部によって実行される撮影モード処理を示すフローチャートである。
【図６】図５のＳ５０６で実行されるズーム処理の手順を示すフローチャートである。
【図７】図５のＳ５０８で実行されるメニュー処理の手順を示すフローチャートである。
【手続補正８】
【補正対象書類名】明細書
【補正対象項目名】００１２
【補正方法】変更
【補正の内容】
【００１２】
図１は、本発明の実施の形態に係る電子機器としてのデジタルカメラ１００の背面図である。
【手続補正９】
【補正対象書類名】明細書
【補正対象項目名】００６０
【補正方法】変更
【補正の内容】
【００６０】
Ｓ５０５の判別の結果、ズーム操作がされたときは、後述する図６のズーム処理を実行してズームレンズを移動し（Ｓ５０６）、Ｓ５０５に戻る。ズーム操作がされていないときは、操作部７０を構成するメニューボタン７０ｂを押下するメニュー操作がされたか否かを判別する（Ｓ５０７）。
【手続補正１０】
【補正対象書類名】特許請求の範囲
【補正対象項目名】全文
【補正方法】変更
【補正の内容】
【特許請求の範囲】
【請求項１】
ズーム位置を変更するズーム操作を受け付けるズーム操作手段と、
前記ズーム操作の開始に応じてズーム位置の移動を開始し、該ズーム操作が解除されたことに応じてズーム位置の移動を停止するように制御する制御手段とを有し、
前記制御手段は、第１の方向にズーム位置を移動させる第１のズーム操作に応じてズーム位置を前記第１の方向に移動している途中で、ズーム位置が、光学ズーム領域内であって、光学広角端でも光学望遠端でもない所定のズーム位置になる場合には、前記第１のズーム操作が解除されていなくても、ズーム位置を前記所定のズーム位置で停止するように制御することを特徴とする電子機器。
【請求項２】
前記制御手段は、前記第１のズーム操作に応じてズーム位置を前記第１の方向に移動している途中で、ズーム位置が前記所定のズーム位置になる場合には、前記第１のズーム操作が解除されていなくても、ズーム位置を前記所定のズーム位置で停止するように制御し、その後、前記第１のズーム操作が一旦解除され、再び前記第１のズーム操作が開始されたことに応じて、ズーム位置を前記所定のズーム位置よりも前記第１の方向側に移動するように制御することを特徴とする請求項１記載の電子機器。
【請求項３】
前記制御手段は、前記第１のズーム操作に応じてズーム位置を前記第１の方向に移動している途中で、ズーム位置が前記所定のズーム位置になる場合には、前記第１のズーム操作が解除されていなくても、ズーム位置を前記所定のズーム位置で停止するように制御し、その後、前記第１のズーム操作が解除されずに所定時間以上継続されたことに応じて、ズーム位置を前記所定のズーム位置よりも前記第１の方向側に移動するように制御することを特徴とする請求項１記載の電子機器。
【請求項４】
前記制御手段は、前記第１の方向とは逆方向の第２の方向にズーム位置を移動させる第２のズーム操作に応じてズーム位置を前記第２の方向に移動している途中で、ズーム位置が前記所定のズーム位置になる場合には、前記第２のズーム操作が解除されずに継続していれば、ズーム位置を前記所定のズーム位置で停止せずに、前記所定のズーム位置よりも前記第２の方向側に移動するように制御することを特徴とする請求項１乃至３のいずれか１項に記載の電子機器。
【請求項５】
前記第１の方向はズーム位置が前記光学望遠側から広角側へ移動する方向であり、前記第２の方向はズーム位置が前記光学広角側から望遠側へ移動する方向であることを特徴とする請求項４に記載の電子機器。
【請求項６】
前記所定のズーム位置から前記光学望遠端までの倍率と、前記所定のズーム位置から前記光学広角端までの倍率の少なくとも一方を表示手段に表示することを特徴とする請求項１乃至５のいずれか１項に記載の電子機器。
【請求項７】
前記所定のズーム位置から現在のズーム位置までの倍率を表示手段に表示することを特徴とする請求項１乃至６のいずれか１項に記載の電子機器。
【請求項８】
ズーム位置を変更するズーム操作を受け付けるズーム操作手段と、
前記ズーム操作に応じてズーム位置を変更するように制御する制御手段と、
光学ズーム領域内であって、光学広角端でも光学望遠端でもない所定のズーム位置から前記光学望遠端までの倍率と、前記所定のズーム位置から前記光学広角端までの倍率の少なくとも一方を表示するように制御する表示制御手段と
を有することを特徴とする電子機器。
【請求項９】
ズーム位置を変更するズーム操作を受け付けるズーム操作手段と、
前記ズーム操作に応じてズーム位置を変更するように制御する制御手段と、
光学ズーム領域内であって、光学広角端でも光学望遠端でもない所定のズーム位置から現在のズーム位置までの倍率を表示するように制御する表示制御手段と
を有することを特徴とする電子機器。
【請求項１０】
前記表示制御手段は、前記所定のズーム位置から前記光学望遠端までの倍率と、前記所定のズーム位置から前記光学広角端までの倍率の少なくとも一方を更に表示するように制御することを特徴とする請求項９に記載の電子機器。
【請求項１１】
前記制御手段は、撮影モードを開始する際にズーム位置が前記所定のズーム位置となるように制御することを特徴とする請求項１乃至１０のいずれか１項に記載の電子機器。
【請求項１２】
前記所定のズーム位置を、ユーザの操作に応じて設定する設定手段を更に有することを特徴とする請求項１乃至１１のいずれか１項に記載の電子機器。
【請求項１３】
前記所定のズーム位置を、ユーザの操作履歴における使用頻度が高いズーム位置に基づいて設定する設定手段を更に有することを特徴とする請求項１乃至１１のいずれか１項に記載の電子機器。
【請求項１４】
複数の撮影モードのうちいずれかに設定する撮影モード設定手段を更に有し、
前記所定のズーム位置は、撮影モードに応じて異なる位置であることを特徴とする請求項１乃至１３のいずれか１項に記載の電子機器。
【請求項１５】
ズーム領域における現在のズーム位置を示すバーを表示するバー表示領域に対して、前記所定のズーム位置に対応する位置を示す表示を行うことを特徴とする請求項１乃至１４のいずれか１項に記載の電子機器。
【請求項１６】
前記バー表示領域に対して、前記所定のズーム位置に対応する位置に所定のアイコンを表示し、前記光学広角端に対応する位置に広角端アイコンを表示し、前記光学望遠端に対応する位置に望遠端アイコンを表示することを特徴とする請求項１５に記載の電子機器。
【請求項１７】
前記電子機器は、撮像手段を有する撮像装置であることを特徴とする請求項１乃至１６のいずれか１項に記載の電子機器。
【請求項１８】
ズーム位置を変更するズーム操作を受け付けるズーム操作ステップと、
前記ズーム操作の開始に応じてズーム位置の移動を開始し、該ズーム操作が解除されたことに応じてズーム位置の移動を停止するように制御する制御ステップとを有し、
前記制御ステップは、第１の方向にズーム位置を移動させる第１のズーム操作に応じてズーム位置を前記第１の方向に移動している途中で、ズーム位置が、光学ズーム領域内であって、光学広角端でも光学望遠端でもない所定のズーム位置になる場合には、前記第１のズーム操作が解除されていなくても、ズーム位置を前記所定のズーム位置で停止するように制御することを特徴とする電子機器の制御方法。
【請求項１９】
ズーム位置を変更するズーム操作を受け付けるズーム操作ステップと、
前記ズーム操作に応じてズーム位置を変更するように制御する制御ステップと、
光学ズーム領域内であって、光学広角端でも光学望遠端でもない所定のズーム位置から前記光学望遠端までの倍率と、前記所定のズーム位置から前記光学広角端までの倍率の少なくとも一方を表示するように制御する表示制御ステップとを有することを特徴とする電子機器の制御方法。
【請求項２０】
ズーム位置を変更するズーム操作を受け付けるズーム操作ステップと、
前記ズーム操作に応じてズーム位置を変更するように制御する制御ステップと、
光学ズーム領域内であって、光学広角端でも光学望遠端でもない所定のズーム位置から現在のズーム位置までの倍率を表示するように制御する表示制御ステップと
を有することを特徴とする電子機器の制御方法。
【請求項２１】
コンピュータを、請求項１乃至１７のいずれか１項に記載された電子機器の各手段として機能させるためのプログラム。
【請求項２２】
コンピュータを、請求項１乃至１７のいずれか１項に記載された電子機器の各手段として機能させるためのプログラムを格納したコンピュータが読み取り可能な記憶媒体。